(57)【要約】【課題】停電の有無に拘らず地震時には光源を点灯させる照明器具を提供する。【解決手段】ＬＥＤ光源１１と、電源２から前記光源１１へ電力を供給する電力供給線１７と、地震の震度を感知する地震センサ１３と、前記電力供給線に直列に設けられ、前記地震センサにより感知した震度が所定値以上の場合にＯＮする自動入切スイッチ１２と、設置場所に固定されるスイッチボックス１８と、を備え、スイッチボックスに、少なくとも手動入切スイッチ１４、地震センサ１３及びリセットスイッチ１９が固定して収納されている。【選択図】  図１
0003179025.tif 000002
【実用新案登録請求の範囲】
【請求項１】
光源と、
電源から前記光源へ電力を供給する電力供給線と、
地震の震度を感知する地震センサと、
前記電力供給線に直列に設けられ、前記地震センサにより感知した震度が所定値以上の場合にＯＮする自動入切スイッチと、
前記電力供給線の、前記自動入切スイッチに対して並列に設けられ、前記光源への電力供給を手動にてＯＮ／ＯＦＦする手動入切スイッチと、
前記自動入切スイッチがＯＮした場合に、これをリセットしてＯＦＦ状態に設定するリセットスイッチと、
設置場所に固定されるスイッチボックスと、を備え、
前記スイッチボックスに、少なくとも前記手動入切スイッチ、前記地震センサ及び前記リセットスイッチが固定して収納されている照明器具。
【請求項２】
前記スイッチボックスに設けられ、前記自動入切スイッチがＯＦＦ状態の場合に点灯又は点滅するスタンバイ確認灯をさらに備える請求項１に記載の照明器具。
【請求項３】
前記自動入切スイッチは、少なくとも震度が４以上の場合にＯＮする請求項１又は２に記載の照明器具。
【請求項４】
前記電力供給線は、無停電電源装置を介して前記電源に接続される請求項１〜３のいずれか一項に記載の照明器具。
【請求項５】
前記光源がＬＥＤである請求項１〜４のいずれか一項に記載の照明器具。
【考案の詳細な説明】
【技術分野】
【０００１】
本考案は、停電の有無に拘らず地震を感知して点灯する照明器具に関するものである。
【背景技術】
【０００２】
地震等で停電しても、非難する際の誘導灯として非常灯を点灯させる照明器具が提案されている（特許文献１）。しかしながら、この種の照明器具は停電しない限り非常灯が点灯しない回路構成とされているので、停電しない地震時には照明器具のスイッチを入れる操作が必要となり、逃げ遅れたりするという問題がある。また、出願人は、光源、地震センサ、入切スイッチ、二次電池及び電力調整回路を筐体に収納するよう構成して、屋外等に携帯できる照明器具を先に提案した（特許文献２）。しかしながら、地震センサを筐体に収納した構成では、誤って倒したりすると誤検知するおそれがあった。
【先行技術文献】
【特許文献】
【０００３】
【特許文献１】特開２００９−２７２１３５号公報
【特許文献２】実用新案登録第３１７７０８７号公報
【考案の概要】
【考案が解決しようとする課題】
【０００４】
本考案が解決しようとする課題は、停電の有無に拘らず地震時には光源を点灯させるとともに誤検知を防止できる照明器具を提供することである。
【課題を解決するための手段】
【０００５】
本考案は、所定値以上の震度を感知したら光源のスイッチを自動入力する回路を備えるとともに、設置場所に固定されるスイッチボックスに地震センサを固定して設けることにより、上記課題を解決する。
【考案の効果】
【０００６】
本考案によれば、停電の有無に拘らず、所定値以上の震度を感知したら光源のスイッチが自動入力し、これにより光源が点灯するので、停電しない地震が発生しても暗所を自動的に照明することができ、照明器具のスイッチを入力する操作が不要となる。その結果、暗所で衝突して怪我をしたり逃げ遅れたりすることがなくなり、安全に非難することができる。また、地震センサをスイッチボックスに固定しているので、誤って接触するなどして生じる誤検出を防止することができる。
【図面の簡単な説明】
【０００７】
【図１】本考案の一実施の形態に係る照明器具を示す電気回路図である。
【図２】図１のスイッチボックスを示す斜視図である。
【考案を実施するための形態】
【０００８】
本考案に係る照明器具１は、家屋内外に設けられ、地震災害時に非常用照明として機能する照明器具あり、ＬＥＤ光源１１と、商用交流電源２からＬＥＤ光源１１へ電力を供給する電力供給線１７と、交流電力を整流して直流電力に変換する整流回路１５と、整流された直流電力をＬＥＤ光源の定格電圧に降圧する降圧回路１６と、手動入切スイッチ１４と、を備える。
【０００９】
また、商用交流電源２と照明器具１との間には無停電電源装置３が設けられている。本例の無停電電源装置３は、商用交流電源２の交流電力を直流電力に変換するＡＣ／ＤＣ変換回路３１と、変換された直流電力を蓄電するバッテリ３２と、変換された直流電力を再び交流電力に変換するＤＣ／ＡＣ変換回路３３と、変換された交流電力を整流する波形整形回路３４とを備える。なお、波形整形回路３４は、変圧器やフィルタ回路などで構成されている。そして、商用電源２が停電した場合にはバッテリ３２がＤＣ／ＡＣ変換回路３３の電力供給源となり、停電しない場合には商用電源２がＤＣ／ＡＣ変換回路３３の電力供給源となる。
【００１０】
したがって、本例の照明器具１は、非停電時には無停電電源装置３を介して商用交流電源２から供給される交流電力が電力供給線１７から供給され、停電時には無停電電源装置３のバッテリ３２から供給される交流電力が電力供給線１７から供給される。そして、手動入切スイッチ１４をＯＮすることでＬＥＤ光源１１が点灯し、手動入切スイッチ１４をＯＦＦすることでＬＥＤ光源１１が消灯する。
【００１１】
特に本例の照明器具１は、地震の震度を感知する地震センサ１３と、電力供給線１７に直列に設けられ、且つ手動入切スイッチ１４に並列に設けられた自動入切スイッチ１２と、自動入切スイッチ１２がＯＮした場合にこれをリセットしてＯＦＦ状態に戻すためのリセットスイッチ１９と、自動入切スイッチ１２がＯＦＦ状態の場合に点灯又は点滅するＬＥＤなどからなるスタンバイ確認灯２０と、をさらに備える。そしてこのうち、電力供給線１７の一部、地震センサ１３、手動入切スイッチ１４、自動入切スイッチ１２、リセットスイッチ１９及びスタンバイ確認灯２０は、図２に示すように壁などの適宜箇所に固定されるスイッチボックス１８に固定して収納されている。
【００１２】
地震センサ１３は、機械式又は電気式のいずれも採用することができるが、電気式地震センサを採用する場合には、停電時においても当該地震センサにも電力が供給されるように回路構成する必要がある。したがって、機械式地震センサを用いることが望ましい。
【００１３】
本例の自動入切スイッチ１２は、地震センサ１３により感知した震度が、たとえば震度４以上の場合にＯＮするように構成されている。この機構は機械式で構成することが望ましいが、停電時においても電力が供給される回路構成とする場合には電気式機構で構成してもよい。自動入切スイッチ１２は、地震センサ１３により感知した震度が所定震度以上の場合にＯＮし、この状態を保持するが、地震が落ち着いた場合には、リセットスイッチ１９を押すことでＯＦＦ状態に戻る。同時にスタンバイ確認灯２０が点灯することで、地震センサ１３による光源１１の自動点灯が待機状態になったことを使用者に喚起することができる。
【００１４】
なお、本考案の光源１１はＬＥＤ光源にのみ限定されず、交流電力で作動する白熱灯や蛍光灯も適用することができる。交流電力の光源を用いる場合は、整流回路１５及び降圧回路１６を省略することもできる。
【００１５】
また、本考案の照明器具１は、無停電電源装置３を必ずしも必要とせず電力供給線１７を直接商用交流電源２に接続してもよい。
【００１６】
以上のように、本例の照明器具１によれば、震度が所定以上、たとえば震度４を感知すると、停電の有無に拘らず自動的に光源１１が点灯するので、非停電時において照明器具１の手動入切スイッチ１４をＯＮする操作が不要となる。その結果、暗所で衝突して怪我をしたり逃げ遅れたりすることがなくなり、安全に非難することができる。
【００１７】
また、無停電電源装置３に接続し、ＬＥＤ光源１１を用いているので、停電時には長時間の照明が可能となり、暗所において必要な家財道具等を持ち出すことができる。
【００１８】
また、少なくとも地震センサ１３が、壁などに固定されたスイッチボックス１８内に固定して設けられているので、地震を良好に検知できるとともに、使用者が誤って接触したりして誤動作するのを防止することができる。また、リセットスイッチ１９を押すことで光源１１の自動点灯がスタンバイ状態に戻り、スタンバイ確認灯２０により当該スタンバイ状態を表示するので、使用者の操作も極めて簡単である。
【符号の説明】
【００１９】
１…照明器具
１１…ＬＥＤ光源
１２…自動入切スイッチ
１３…地震センサ
１４…手動入切スイッチ
１５…整流回路
１６…降圧回路
１７…電力供給線
１８…スイッチボックス
１９…リセットスイッチ
２０…スタンバイ確認灯
２…商用交流電源
３…無停電電源装置
３１…ＡＣ／ＤＣ変換回路
３２…バッテリ
３３…ＤＣ／ＡＣ変換回路
３４…波形整形回路
【図１】
0003179025.tif 000003
【図２】
0003179025.tif 000004